(57)【要約】【課題】保持器の柱部の強度を確保して、その摩耗を防止することである。【解決手段】保持器６の各ポケット５の両側周方向端面７の円錐リング内周側に、内径広がりのテーパ面部７ａを設け、このテーパ面部７ａのみを軸方向で中高形状として、その中高部で円錐ころ４の円錐面と接触させることにより、柱部８をくびれ部のない一定幅のものとしてその強度を確保でき、かつ、保持器６の摩耗も防止できるようにした。【選択図】  図１
2004293698.tif 000002
【特許請求の範囲】
【請求項１】
円錐状の軌道面の両側に鍔が設けられた内輪と、円錐状の軌道面を有する外輪と、前記内外輪の軌道面間に転動自在に配列された複数の円錐ころと、これらの円錐ころを所定の円周方向間隔でポケットに保持する円錐リング状の保持器とを備え、この保持器が金属板をプレス加工して形成され、前記円錐ころの円錐面と接触する各ポケットの両側周方向端面が、円錐ころの軸方向大径側へ広がるテーパを付与された円錐ころ軸受において、前記各ポケットの両側周方向端面の円錐リング内周側に、内径広がりのテーパ面部を設け、このテーパ面部を軸方向で中高形状として、その中高部で前記円錐ころの円錐面と接触させるようにしたことを特徴とする円錐ころ軸受。
【請求項２】
前記ポケットが打ち抜きプレス加工で形成され、前記両側周方向端面の平行面部が打ち抜き剪断面である請求項１に記載の円錐ころ軸受。
【発明の詳細な説明】
【０００１】
【発明の属する技術分野】
この発明は、保持器が金属板をプレス加工して形成された円錐ころ軸受に関するものである。
【０００２】
【従来の技術】
円錐ころ軸受には、例えば、本発明の実施形態である図１に示すように、円錐状の軌道面の両側に大鍔１ａと小鍔１ｂが設けられた内輪２と、円錐状の軌道面を有する外輪３と、内外輪２、３の軌道面間に転動自在に配列された複数の円錐ころ４と、各円錐ころ４を所定の円周方向間隔でポケット５に保持する保持器６とで構成されたものがある。
【０００３】
前記保持器６は円錐リング状に形成され、その外径側から円錐ころ４が脱落しないように、各ポケット５の幅は円錐ころ４の径よりも狭く設定され、円錐ころ４の円錐面と接触するポケット５の両側周方向端面は、円錐ころ４の軸方向大径側へ広がるテーパを付与されている。
【０００４】
この種の保持器には、鋼板をプレス加工して形成したものが多く用いられている。すなわち、図４に示すように、順に▲１▼ブランク抜き工程で鋼板から円形ブランクを打ち抜き、▲２▼絞り工程で円形ブランクを円錐台状のカップに絞り、▲３▼芯抜き工程でカップの底に中心ガイド孔と回転ガイド孔を打ち抜き、▲４▼ポケット抜き工程でカップの側壁に台形状のポケットを打ち抜き、▲５▼柱押し工程でポケットの両側周方向端面に円錐ころの円錐面と接触する内径広がりのテーパ面部を形成し、▲６▼内径抜き工程でカップの底を少し縁を残して抜き落とすことにより、円錐リング状の保持器を形成している。
【０００５】
前記柱押し工程では、後に円錐ころをポケットに挿入するために、円錐リング状の保持器の小径側を製品寸法よりも拡径し、円錐ころ軸受の組立時に、この拡径した小径側から円錐ころを挿入したのち、所定の寸法に加締めるようにしている。
【０００６】
このため、従来の円錐ころ軸受では、保持器の小径側を拡径する際に、ポケットの周方向端面が小径側で内側に迫り出し、この迫り出した小径側の周方向端面に円錐ころが局部的に接触して、保持器が摩耗しやすくなる問題があった。また、保持器の摩耗粉は、軸受の潤滑油を早期に劣化させる要因ともなる。
【０００７】
この問題に対して、ポケットの両側周方向端面を軸方向で中高形状とし、この中高部で円錐ころの円錐面と接触させるようにしたものがある（例えば、特許文献１参照。）。
【０００８】
【特許文献１】
特開２００２−２９５４８２号公報（第２−３頁、第６図）
【０００９】
【発明が解決しようとする課題】
上述したポケットの両側周方向端面を軸方向で中高形状とした保持器は、保持器の摩耗を好適に防止できるが、柱部の両端部に幅のくびれ部が形成されるので、柱部の強度が低下して、円錐ころとの接触圧力で変形等の損傷を生じやすくなる問題がある。
【００１０】
そこで、この発明の課題は、保持器の柱部の強度を確保して、その摩耗を防止することである。
【００１１】
【課題を解決するための手段】
上記の課題を解決するために、この発明は、円錐状の軌道面の両側に鍔が設けられた内輪と、円錐状の軌道面を有する外輪と、前記内外輪の軌道面間に転動自在に配列された複数の円錐ころと、これらの円錐ころを所定の円周方向間隔でポケットに保持する円錐リング状の保持器とを備え、この保持器が金属板をプレス加工して形成され、前記円錐ころの円錐面と接触する各ポケットの両側周方向端面が、円錐ころの軸方向大径側へ広がるテーパを付与された円錐ころ軸受において、前記各ポケットの両側周方向端面の円錐リング内周側に、内径広がりのテーパ面部を設け、このテーパ面部を軸方向で中高形状として、その中高部で前記円錐ころの円錐面と接触させる構成を採用した。
【００１２】
すなわち、保持器の各ポケットの両側周方向端面の円錐リング内周側に、内径広がりのテーパ面部を設け、このテーパ面部のみを軸方向で中高形状として、その中高部で円錐ころの円錐面と接触させることにより、柱部をくびれ部のない一定幅のものとしてその強度を確保し、かつ、保持器が摩耗しないようにした。
【００１３】
前記ポケットを打ち抜きプレス加工で形成し、前記両側周方向端面の平行面部を打ち抜き剪断面のままとすることにより、保持器の加工コストを低減することができる。
【００１４】
【発明の実施の形態】
以下、図面に基づいて、この発明の実施形態を説明する。この円錐ころ軸受は、図１に示すように、円錐状の軌道面の両側に大鍔１ａと小鍔１ｂが設けられた内輪２と、円錐状の軌道面を有する外輪３と、内外輪２、３の軌道面間に転動自在に配列された複数の円錐ころ４と、各円錐ころ４を所定の円周方向間隔でポケット５に保持する保持器６とで構成されている。保持器６は、図４に示したように、鋼板をプレス加工して円錐リング状に形成したものである。
【００１５】
前記保持器６のポケット５は、図２の断面図、および図３の内周側から見た平面図に示すように、両側周方向端面７が円錐ころの軸方向大径側へ広がるテーパを付与された台形状に形成され、ポケット抜き工程で形成された各周方向端面７の円錐リング内周側に、内径広がりテーパ面部７ａが柱押し工程で形成されている。
【００１６】
前記テーパ面部７ａは、柱押し工程での決め押しダイスにより、軸方向で中高形状に形成され、このテーパ面部７ａの中高部が円錐ころ４の円錐面と接触するようになっている。ポケット５を円周方向で仕切る柱部８は、ポケット抜き工程で形成されたままの周方向端面７により、くびれ部のない一定幅に形成されている。
【００１７】
したがって、この円錐ころ軸受では、保持器６の各ポケット５に保持された円錐ころ４が、両側周方向端面７のテーパ面部７ａの中高部と広範囲で安定して接触し、局部的な接触による摩耗が生じることはなく、かつ、柱部８の強度も確保されている。
【００１８】
【発明の効果】
以上のように、この発明の円錐ころ軸受は、保持器の各ポケットの両側周方向端面の円錐リング内周側に内径広がりのテーパ面部を設け、このテーパ面部のみを軸方向で中高形状として、その中高部で円錐ころの円錐面と接触させるようにしたので、柱部をくびれ部のない一定幅のものとしてその強度を確保でき、かつ、保持器の摩耗、およびその摩耗粉による潤滑油の劣化を防止することができる。
【図面の簡単な説明】
【図１】円錐ころ軸受の実施形態を示す縦断面図
【図２】図１のＩＩ−ＩＩ線に沿った断面図
【図３】図２の保持器のポケットを内周側から見た平面図
【図４】円錐ころ軸受の製造工程を説明する工程図
【符号の説明】
１ａ  大鍔
１ｂ  小鍔
２  内輪
３  外輪
４  円錐ころ
５  ポケット
６  保持器
７  周方向端面
７ａ  テーパ面部
８  柱部
【図１】
2004293698.tif 000003
【図２】
2004293698.tif 000004
【図３】
2004293698.tif 000005
【図４】
2004293698.tif 000006